(57)【要約】【課題】監視カメラが撮像した画像の中から必要な画像を適切に選択することができる紙葉類処理システム及び紙葉類処理装置を提供することである。【解決手段】実施形態の紙葉類処理システムは、画像取得部と、イベント情報取得部と、操作部と、画像検索部とを持つ。画像取得部は、紙葉類処理装置の外側に設置されたカメラにより前記紙葉類処理装置の所定の位置が撮像された画像を取得する。イベント情報取得部は、前記紙葉類処理装置において発生したイベントに関するイベント情報を取得する。操作部は、前記イベント情報に基づきイベントを指定する操作を受け付ける。画像検索部は、前記画像取得部が取得した画像の中から、前記操作部を介して指定された前記イベントに対応する前記画像を検索して出力する。【選択図】図４
2015222488.tif 000002
【特許請求の範囲】
【請求項１】
紙葉類処理装置の周辺に設置されたカメラにより前記紙葉類処理装置の所定の位置が撮像された画像を取得する画像取得部と、
前記紙葉類処理装置において発生したイベントに関するイベント情報を取得するイベント情報取得部と、
前記イベント情報に基づきイベントを指定する操作を受け付ける操作部と、
前記画像取得部が取得した画像の中から、前記操作部を介して指定された前記イベントに対応する前記画像を検索して出力する画像検索部と、
を備える紙葉類処理システム。
【請求項２】
前記画像取得部が取得した複数の画像の中から前記イベントに関連する画像を抽出し、抽出した前記画像と前記イベント情報とを対応付けて記憶部に記憶させると共に、前記抽出した画像以外の画像を削除する抽出部をさらに備える請求項１に記載の紙葉類処理システム。
【請求項３】
前記イベント情報取得部は、
前記紙葉類処理装置においてエラーが発生したこと、
前記紙葉類処理装置が備える開閉部が開かれたこと、及び
前記紙葉類処理装置における処理が停止したこと、のうち少なくとも何れか一つのイベントが発生したことに関する前記イベント情報を取得する請求項１又は２に記載の紙葉類処理システム。
【請求項４】
前記画像検索部は、指定された前記イベントの発生タイミングを基準として、前記イベントの種類に応じた期間の画像を出力する請求項１から３のうちいずれか一項に記載の紙葉類処理システム。
【請求項５】
自装置の内側に設置されたカメラと、
前記カメラにより前記自装置の内部の所定の位置が撮像された画像を取得する画像取得部と、
紙葉類処理装置において発生したイベントに関するイベント情報を取得するイベント情報取得部と、
前記イベント情報に基づきイベントを指定する操作を受け付ける操作部と、
前記画像取得部が取得した画像の中から、前記操作部を介して指定された前記イベントに対応する前記画像を検索する画像検索部と、
前記画像検索部による検索結果を出力する表示部と、
を備える紙葉類処理装置。
【発明の詳細な説明】
【技術分野】
【０００１】
本発明の実施形態は、紙葉類処理システム及び紙葉類処理装置に関する。
【背景技術】
【０００２】
投入された紙幣を鑑査して券種に応じて振り分ける紙葉類処理装置が知られている。この紙葉類処理装置の周辺には、操作者による紙幣の持ち去り等を監視するための監視カメラが設置されている。
ここで、監視カメラが監視対象を常時撮像しており、撮像した画像を全てデータベースに保存する場合、異常が発生した時の画像を全ての画像の中から人が検索しなければならず手間であった。これに対して撮像画像を解析することにより、撮像画像の中に物体が入り込んだ場合、物体が撮像された画像を記録するものがある。しかし、紙葉類処理装置の動作や操作者の操作は複雑であるため、撮像画像を解析することにより必要な画像を抽出することは困難である。
【先行技術文献】
【特許文献】
【０００３】
【特許文献１】特許第３５０７８０６号公報
【発明の概要】
【発明が解決しようとする課題】
【０００４】
本発明が解決しようとする課題は、監視カメラが撮像した画像の中から必要な画像を適切に選択することができる紙葉類処理システム及び紙葉類処理装置を提供することである。
【課題を解決するための手段】
【０００５】
実施形態の紙葉類処理システムは、画像取得部と、イベント情報取得部と、操作部と、画像検索部とを持つ。画像取得部は、紙葉類処理装置の外側に設置されたカメラにより前記紙葉類処理装置の所定の位置が撮像された画像を取得する。イベント情報取得部は、前記紙葉類処理装置において発生したイベントに関するイベント情報を取得する。操作部は、前記イベント情報に基づきイベントを指定する操作を受け付ける。画像検索部は、前記画像取得部が取得した画像の中から、前記操作部を介して指定された前記イベントに対応する前記画像を検索して出力する。
【図面の簡単な説明】
【０００６】
【図１】実施形態の紙葉類処理装置１００の一例を示す概略図。
【図２】実施形態の紙葉類処理装置１００の全体構成を概略的に示す断面図である。
【図３】実施形態の紙葉類処理システム１の一例を示す概略図。
【図４】実施形態の中央制御部１１０の構成例を示すブロック図である。
【図５】実施形態のイベントログ情報４０２の一例を示す図。
【図６】実施形態の関連情報テーブル４０３の一例を示す図。
【図７】実施形態の中央制御部１１０による関連付け処理の一例を示すフローチャート。
【図８】実施形態の中央制御部１１０による検索処理の一例を示すフローチャート。
【発明を実施するための形態】
【０００７】
以下、実施形態の紙葉類処理装置を、図面を参照して説明する。
図１は、実施形態に係る紙葉類処理装置１００の一例を示す図である。実施形態に係る紙葉類処理装置１００は、紙葉類処理装置本体１０１と、操作部１０２と、表示部１０３と、紙葉類排出部１０４とを備える。紙葉類処理装置１００において、操作部１０２や表示部１０３が取り付けらえている側を、紙葉類処理装置１００の正面という。
紙葉類処理装置１００の正面は、複数のカバー１０５ａ，１０５ｂ，１０５ｃ，１０５ｄで覆われており、各カバー１０５ａ，１０５ｂ，１０５ｃ，１０５ｄには、それぞれ取っ手１０６ａ，１０６ｂ，１０６ｃ，１０６ｄが取り付けられている。カバー１０５ａ〜１０５ｄが開けられると、紙葉類処理装置１００の内部が露出する。
また、紙葉類処理装置１００の正面には、紙葉類をセットする投入口１０７と、リジェクト券等の所定の紙葉類を排出するリジェクト券排出口１０８とが設けられている。
紙葉類排出部１０４からは、紙葉類処理装置１００により施封された紙葉類の把が排出される。
【０００８】
次に、図２を参照して、紙葉類処理装置１００の構成について説明する。図２は、紙葉類処理装置１００の全体構成を概略的に示す断面図である。
紙葉類処理装置１００は、第１ユニット１１１と第２ユニット１１２とを備える。第１ユニット１１１と第２ユニット１１２とは、搬送路において連結されている。
【０００９】
紙葉類処理装置１００は、投入口１０７から供給される紙幣Ｐを搬送しながら、紙幣Ｐの種類を判定するとともに、紙幣Ｐの正損検出および真偽検出を行う鑑査部１１３を備える。紙葉類処理装置１００は、鑑査部１１３による真偽検出における検出結果が偽券である紙幣Ｐや、搬送状態が基準姿勢からずれている紙幣Ｐ等を、リジェクト券として回収し、リジェクト券排出口１０８から排出する。
また、紙葉類処理装置１００は、鑑査部１１３により判定された券種ごとに、紙幣Ｐを施封部１１５に搬送する。施封部１１５は、処理券を、紙幣の種類ごとに用意され、所定の枚数の紙幣を紙幣の種類ごとに施封する。施封部１１５は、施封した紙幣の把を、紙葉類排出部１０４に排出する。
さらに、紙葉類処理装置１００は、鑑査部１１３による正損検出における検出結果が損券である紙幣Ｐ等を回収し、裁断部１１７に排出する。裁断部１１７は、回収された損券を裁断し、裁断された破片を外部に排出する。
【００１０】
実施形態において、鑑査部１１３は、投入される紙葉類が、搬送中の紙葉類が紙幣であるか又はバッチカードであるかを判定する。紙葉類処理装置１００は、鑑査部１１３によりバッチカードであると判定された紙葉類を、バッチカード排出部１１９に排出する。
【００１１】
なお、リジェクト券には、偽券と判定された券、折れ又は破れが発見された券、スキューや２枚取りなどにより真偽が判別不能な券と判定された券、バッチカード等が含まれる。スキューとは、搬送方向に対して、紙幣Ｐが斜めに傾斜している状態（つまり、まがった姿勢で搬送されている状態）をいう。
【００１２】
実施形態において、鑑査部１１３は、カメラ、物理的特性を検出する物理的特性検出手段や磁気検出手段等を含む。ここで、紙幣の種類検出とは、紙幣に印刷されている模様に基づき紙幣の種類（千円札、五千円札、一万円札等）がいずれであるのかを検出する処理である。真偽検出とは、紙幣Ｐのホログラムからの反射光や透かしからの透過光に基づき紙幣が真券であるか又は偽券であるかを判定する処理である。正損検出とは、紙幣を撮像した画像に基づき紙幣の汚損度合いが基準値よりも高いか否かを判定し、紙幣が正券であるか又は損券であるかを判定する処理である。なお、正券とは、汚損度合いが基準値よりも低く再流通可能な紙幣をいう。損券とは、汚損度合いが基準値よりも高く再流通不可能な紙幣をいう。
【００１３】
次に、図３を参照して、紙葉類処理装置１００を備える紙葉類処理システム１の一例について説明する。図３は、紙葉類処理システム１の一例を示す概略図である。
紙葉類処理システム１は、紙葉類処理装置１００と、複数のカメラ２０１，２０２，２０３とを備える。実施形態において、紙葉類処理装置本体１０１は、複数のカメラ２０１〜２０３と接続される中央制御部１１０を内蔵する。中央制御部１１０は、例えば、紙葉類処理装置１００内の制御ボードに設けられるＣＰＵ（Central Processing Unit）３００と、種々のデータ、制御プログラム、管理情報等を格納する記憶部４００とを備える。中央制御部１１０は、図示しないホストコンピュータに接続され、ホストコンピュータとの間で情報の送受信や、情報整理等を行う。
【００１４】
実施形態において、複数のカメラ２０１〜２０３は、それぞれ、紙葉類処理装置１００の周辺に設置され、紙葉類処理装置１００の所定箇所を撮像する。例えば、カメラ２０１は、紙葉類処理装置１００のカバー１０５ａ，１０５ｂが開けられた場合に、紙葉類処理装置１００の内部を撮像可能な位置に設置されている。また、カメラ２０２は、紙葉類処理装置１００のカバー１０５ｃ，１０５ｄが開けられた場合に、紙葉類処理装置１００の内部を撮像可能な位置に設置されている。カメラ２０３は、操作部１０２や投入口１０７、リジェクト券排出口１０８等を撮像可能な位置に設置されている。
【００１５】
次に、図４を参照して、中央制御部１１０の構成について説明する。図４は、中央制御部１１０の構成例を示すブロック図である。
中央制御部１１０は、ＣＰＵ３００がプログラムを実行することにより機能する機能部として、画像取得部３０１と、紙葉類処理制御部３０２と、イベント情報取得部３０３と、抽出部３０４と、画像検索部３０５と、を備える。これら機能部の一部又は全部は、ＬＳＩ（Large Scale Integration）やＡＳＩＣ（Application Specific Integrated Circuit）などのハードウェア機能部であってもよい。
記憶部４００には、画像データ４０１と、イベントログ情報４０２と、関連情報テーブル４０３と、抽出情報４０４とが記憶される。
【００１６】
画像取得部３０１は、カメラ２０１〜２０３と接続され、カメラ２０１〜２０３により撮像された画像を取得する。画像取得部３０１は、取得した画像の画像データ４０１を、記憶部４００に記憶させる。
【００１７】
紙葉類処理制御部３０２は、紙葉類処理装置１００を各構成の動作を制御し、投入口１０７から投入された紙葉類の鑑査や仕分けを実行させる。
【００１８】
イベント情報取得部３０３は、鑑査部１１３、カバーセンサー１０５、及び操作部１０２と接続され、各部と紙葉類処理制御部３０２からの出力に基づき、紙葉類処理装置１００において発生したイベントを示すイベント情報を取得する。カバーセンサー１０５は、カバー１０５ａ〜１０５ｄ等の付近に配置される複数のセンサーを備え、カバー１０５ａ〜１０５ｄの開閉を検知する。実施形態において、紙葉類処理制御部３０２は、発生したイベントを示すイベント情報と、イベントが発生した時刻情報とを対応付けたイベントログ情報を生成し、イベント情報取得部３０３に出力する。イベント情報取得部３０３は、紙葉類処理制御部３０２からのイベントログ情報４０２を、記憶部４００に記憶させる。
【００１９】
抽出部３０４は、記憶部４００の画像データ４０１に基づき、画像取得部３０１が取得した複数の画像の中からイベントに関連する画像を抽出し、抽出した画像とイベント情報とを対応付けた抽出情報を生成し、生成した抽出情報４０４を記憶部４００に記憶させる。抽出部３０４は、抽出した画像以外の画像を、記憶部４００の画像データ４０１から削除する。
【００２０】
画像検索部３０５は、記憶部４００を参照して、操作部１０２を介して指定されたイベントに対応する画像を検索する。画像検索部３０５は、検索結果を表示部１０３から出力させる。
【００２１】
次に、図５，６を参照して、記憶部４００に記憶されている情報について説明する。
画像データ４０１は、カメラ２０１〜２０３により撮像された画像の画像データである。実施形態において、画像データ４０１は、連続した複数の画像により映像を構成する画像データである。各画像データには、撮像された日付や時刻を示す時刻情報と、撮像したカメラを示す情報（以下、カメラＩＤという）等の付与情報が紐づけられている。
【００２２】
抽出情報４０４は、抽出部３０４により抽出された画像の画像データと、抽出された画像に対応するイベントＩＤ等を含む。
【００２３】
図５は、イベントログ情報４０２の一例を示す図である。イベントログ情報４０２は、各イベントを識別するための識別情報（以下、イベントＩＤという）と、イベントが発生した日付や時刻を示す時刻情報とを対応付けた情報である。各イベントに対応したイベントＩＤは、予め決められている。
【００２４】
図６は、関連情報テーブル４０３の一例を示す図である。関連情報テーブル４０３は、イベントＩＤと、イベント内容と、カメラＩＤと、関連範囲とを対応付けるテーブルである。
イベント内容には、各イベントＩＤが割り当てられたイベントの内容である。
カメラＩＤは、イベントに対応するカメラを示す情報である。なお、カメラＩＤ「Ａ」はカメラ２０１、カメラＩＤ「Ｂ」はカメラ２０２、カメラＩＤ「Ｃ」はカメラ２０３に、それぞれ対応する。
関連範囲は、イベントに対応する映像の範囲を示す情報である。実施形態において、関連範囲では、各イベントの発生時点（発生タイミング）を基準として、イベントの種類に応じた期間が規定されており、例えば、イベントに対応する映像の開始点と終了点や、イベントの発生時点を含む時間長が定義されている。
【００２５】
ここで、図６を参照して、イベントの具体例について説明する。
イベントＩＤ「０１」のイベントは、紙葉類処理装置１００のエラーが発生したことを示すイベントである。紙葉類処理装置１００におけるエラーとしては、裁断部１１７のエラーや、搬送路の紙詰まり、施封部１１５の帯紐の不足等がある。このような場合、カバー１０５ａ〜１０５ｄが開けられる場合や、操作部１０２が操作される場合がある。よって、エラーが発生してからエラーが解消するまでの間に、カメラ２０１〜２０３により撮像された画像を関連範囲とする。この画像を確認することで、エラーが発生した際のカバー１０５ａ〜１０５ｄの開閉や、操作者の操作に不正がないかどうかを確認できる。
【００２６】
イベントＩＤ「０２」のイベントは、カバー１０５ａ〜１０５ｄが開けられたことを示すイベントである。この場合、カバー１０５ａ〜１０５ｄのうちのどれかが開けられたときから閉められるまでの間に、カバー１０５ａ〜１０５ｄの内部を操作する作業者の手元を撮像するカメラ２０１，２０２により撮像された画像を関連範囲とする。この画像を確認することで、エラーが発生した際のカバー１０５ａ〜１０５ｄの開閉時に不正がないかどうかを確認できる。
【００２７】
イベントＩＤ「０３」のイベントは、裁断部１１７のセキュリティボックスのカバー（図示せず）が開けられたことを示すイベントである。裁断部１１７のセキュリティボックスは、裁断前の紙幣、又は裁断後の紙幣が残っていてはいけないエリアである。この場合、裁断部１１７のセキュリティボックスが開けられたときから閉められるまでの間に、關口クリティボックス付近を操作する作業者の手元を撮像するカメラ２０１により撮像された画像を関連範囲とする。この画像を確認することで、裁断部１１７に対して不正を加えていないかどうかを確認できる。
【００２８】
イベントＩＤ「０４」のイベントは、前処理、鑑査処理、リジェクト券の処理（ＲＳ処理）等の各処理において、バッチカードが読み込まれたことを示すイベントである。この場合、バッチカードが読み取られたときの前後の所定時間に、投入口１０７に投入する作業者の手元を撮像するカメラ２０３により撮像された画像を関連範囲とする。この画像を確認することで、バッチカードで区切られた各単位で過不足が発生した場合におけるバッチのオペレーションを確認できる。
【００２９】
イベントＩＤ「０５」のイベントは、検知停止が指定されたことを示すイベントである。この場合、検知停止期間中に、カバー１０５ａ〜１０５ｄの内部を操作する作業者の手元を撮像するカメラ２０１，２０２により撮像された画像を関連範囲とする。この画像を確認することで、真偽検知が停止されたとき、紙幣を白紙に置き換えるような不正がないどうかを確認できる。
【００３０】
このように、イベントの種類に応じて、イベントの発生後の映像だけを関連範囲とするのか、イベントの発生前後の映像を関連範囲とするのかを決めることができる。また、関連範囲の期間の長さも、イベント毎に設定可能である。
【００３１】
次に、図７を参照して、中央制御部１１０による関連付け処理について説明する。図７は、中央制御部１１０による関連付け処理の一例を示すフローチャートである。ここで、紙葉類処理制御部３０２は、操作部１０２からの指示に基づき、紙葉類処理装置１００の動作を開始し、制御しているとする。
画像取得部３０１は、カメラ２０１〜２０３が撮像した画像の画像データを取得し、記憶部４００に記憶させる（ステップＳＴ１０１）。
イベント情報取得部３０３は、イベント情報を取得したか否かを判定する（ステップＳＴ１０２）。
紙葉類処理装置１００においてイベントが発生した場合、イベント情報取得部３０３は、紙葉類処理制御部３０２からイベントログ情報を取得し、記憶部４００に記憶させる（ステップＳＴ１０３）。
【００３２】
抽出部３０４は、画像を抽出するか否かを判定する（ステップＳＴ１０４）。なお、抽出部３０４が画像を抽出するか否かの設定は、事前に操作者により設定可能である。
抽出部３０４が画像を抽出することが事前に設定されている場合、抽出部３０４は、関連情報テーブル４０３を参照して、ステップＳＴ１０２において取得したイベントのイベントＩＤに対応する画像を、画像データ４０１から抽出する（ステップＳＴ１０５）。なお、抽出部３０４は、関連情報テーブル４０３においてイベント毎に対応付けられた関連範囲に基づき、関連範囲に属する画像を抽出する。具体的に説明すると、抽出部３０４は、イベントの発生時点を基準として、関連範囲に規定された期間の画像を抽出する。
【００３３】
抽出部３０４は、抽出された画像の画像データに、ステップＳＴ１０２おいて取得したイベントのイベントＩＤを対応付けた情報を生成し、抽出情報４０４として記憶部４００に記憶させる（ステップＳＴ１０６）。
そして、抽出部３０４は、抽出した画像以外の画像を削除する（ステップＳＴ１０７）。
【００３４】
次に、図８を参照して、中央制御部１１０による検索処理について説明する。図８は、中央制御部１１０による検索処理の一例を示すフローチャートである。
中央制御部１１０の画像検索部３０５は、操作部１０２を介して、検索対象であるイベントが選択されたか否かを判定する（ステップＳＴ２０１）。
検索対象であるイベントが選択された場合、画像検索部３０５は、記憶部４００を参照して、選択されたイベントのイベントＩＤをイベントログ情報４０２から検索する（ステップＳＴ２０２）。
例えば、操作部１０２を介してイベントＩＤ「０１」が指定された場合、画像検索部３０５は、イベントログ情報４０２を参照して、イベントＩＤ「０１」と対応付けられた時刻情報を全て抽出する。
画像検索部３０５は、検索により得られたイベントＩＤに対応する時刻情報をイベントログ情報４０２から読み出し、読み出した時刻情報の一覧を表示部１０３から出力させる（ステップＳＴ２０３）。
【００３５】
次いで、画像検索部３０５は、操作部１０２を介して、一覧の中から検索対象である時刻情報が選択されたか否かを判定する（ステップＳＴ２０４）。
検索対象である時刻情報が選択された場合、画像検索部３０５は、記憶部４００を参照して、選択されたイベントの時刻情報に関連付けられた画像を検索する（ステップＳＴ２０５）。具体的に説明すると、画像検索部３０５は、選択されたイベントの発生時点の時刻を基準として、当該イベントの関連範囲に規定された期間の画像を抽出する。
【００３６】
例えば、画像検索部３０５は、関連情報テーブル４０３を参照して、イベントＩＤ「０１」に対応するカメラＩＤ「Ａ〜Ｃ」と関連範囲「エラー発生からエラー解消まで」を取得する。画像検索部３０５は、記憶部４００の画像データ４０１から、カメラＩＤ「Ａ」〜「Ｃ」が示すカメラ２０１〜２０３が撮像した画像データのうち、ステップＳＴ２０４において指定された時刻情報が示すエラーの発生時刻から、エラー解消時刻までの画像データを抽出する。なお、エラー解消には、所定のイベントＩＤが割り当てられおり、画像検索部３０５は、イベントログ情報４０２からエラー解消のイベントＩＤに対応する時刻情報を取得し、エラー解消時刻を得ることができる。
【００３７】
画像検索部３０５は、検索により得た画像を読み出す（ステップＳＴ２０６）。つまり、画像検索部３０５は、関連情報テーブル４０３においてイベント毎に対応付けられた関連範囲に基づき、関連範囲に属する画像を記憶部４００から読み出す。
画像検索部３０５は、読み出した画像を表示部１０３から出力させる（ステップＳＴ２０７）。
【００３８】
上記各実施形態において、カメラ２０１〜２０３は、紙葉類処理装置１００の外側に設置されると説明したがこれに限られない。カメラ２０１〜２０３は、紙葉類処理装置１００の内側に設けられてもよい。例えば、第１ユニット１１１と第２ユニット１１２とのつなぎ目や、券種ごとの施封部１１５ａ〜１１５ｄ、その他、紙幣の搬送路上や、裁断部１１７への進入部分等に、カメラが設定される。
紙葉類処理装置１００の内部に設置されたカメラは、紙葉類処理装置１００の内部を移動する紙幣や、途中で詰まってしまった紙幣、機器の映像等を撮像することができる。紙幣が鑑査部１１３を通過した際、鑑査部１１３の判定結果が、損券、大幅なスキュー・スライド、破損であるときは、紙幣が機内に滞留ないし脱落する虞がある。この場合、紙葉類処理装置１００の内部の映像を記録することにより、不足が発生した場合、鑑査部１１３の判定結果をもとに映像を検索することができる。この場合、イベントとして、鑑査部１１３の判定結果に応じたイベントを設定してもよい。
【００３９】
上記各実施形態において、記憶部４００は、紙葉類処理装置１００に内蔵されると説明したが、これに限られず、外部のコンピュータ等に設けられてもよい。また、画像取得部３０１、イベント情報取得部３０３、抽出部３０４、及び画像検索部３０５も、紙葉類処理装置１００の外部のコンピュータ等に設けられてもよい。
【００４０】
上記各実施形態において、イベント情報は、イベントログ情報として記憶部４００に記憶されると説明したが、これに限られない。例えば、抽出部３０４が、抽出した画像データの付加情報に、対応するイベントＩＤを書き込んでもよい。
【００４１】
上記各実施形態において、時刻情報は、画像が撮像されたときや、イベントが発生したときを示す情報であればよく、クロックやナンバリング情報等を用いてもよい。
【００４２】
上記各実施形態において、抽出部３０４は、抽出した抽出情報を記憶部４００に記憶させると説明したがこれに限られない。例えば、抽出部３０４は、抽出した抽出情報を、ネットワークを介して接続されるホストコンピュータに送信してもよい。この場合、カメラの撮像画像の付与情報には、紙葉類処理装置１００の号機番号等が含まれる。
また、上記各実施形態において、画像検索部３０５は、検索結果を表示部１０３に出力させると説明したがこれに限られない。例えば、画像検索部３０５は、検索結果をネットワークを介して接続されるホストコンピュータに送信し、出力させてもよい。これにより、ホストコンピュータが管理する複数の紙葉類処理装置を、イベント毎の映像を確認することで管理することができる。
【００４３】
上記各実施形態において、施封部１１５が備えるモジュールの数は、実施形態に限定されることなく、必要に応じて、増減可能であり、モジュールの種類も種々選択可能である。例えば、施封部１１５は、１つであってもよい。
【００４４】
上記各実施形態において、紙葉類処理装置１００は、バッチカードを用いて、複数の紙葉類の塊ごとに、紙幣を計数することが可能であるが、これに限られず、バッチカードを用いないものであってもよい。
【００４５】
上記各実施形態において、紙葉類処理装置１００が処理する紙葉類は、紙幣に限られない。例えば、ゲームカード、有価証券等の他の紙葉類であってもよい。
【００４６】
上記各実施形態において、紙葉類処理装置１００は、銀行、現金輸送会社、カジノなどの現金を取り扱う場所（以下、キャッシュセンターという）に設置され、操作者の不正、紙葉類処理装置１００の不正動作を監視するために利用可能である。キャッシュセンターでは、顧客が持ち込んだ現金バック等に申告額が記載されており、紙葉類処理装置１００で処理した結果と照合される。ここで、申告額と処理結果の不一致（過不足）が判明すると、紙葉類処理装置１００において発生したイベントに基づき画像を取得することにより、操作者の不正や紙葉類処理装置１００の不正動作が発生する可能性のある画像を簡単に確認することができる。実施形態によらない場合、紙葉類処理装置１００のイベントログと、カメラが記録する映像とを駆使して、人が不一致の原因を遡及する作業が発生していた。実施形態係る紙葉類処理装置１００によると、操作者の不正や紙葉類処理装置１００の不正動作が発生する可能性のある画像を簡単に取得可能な情報を記憶部４００に保存しておくことにより、遡及作業を支援することができる。
【００４７】
以上説明した少なくともひとつの実施形態によれば、カメラ２０１〜２０３が撮像した画像の中から、操作部１０２を介して指定されたイベントに対応する画像を検索する画像検索部３０５を備える。この構成により、カメラ２０１〜２０３が撮像した画像の中から、指定されたイベント毎に、必要な画像を適切に選択することができる。
【００４８】
また、以上説明した少なくともひとつの実施形態によれば、複数の画像の中からイベントに関連する画像を抽出し、抽出した画像とイベント情報とを対応付けて記憶部４００に記憶させると共に、抽出した画像以外の画像を削除する抽出部３０４をさらに備える。この構成により、記憶部４００に記憶される画像データの容量を削減でき、記憶部４００を効率的に利用できる。
【００４９】
また、以上説明した少なくともひとつの実施形態によれば、イベント情報取得部３０３は、紙葉類処理装置１００において発生するイベントとして、紙葉類処理装置１００においてエラーが発生したこと、紙葉類処理装置１００に搭載された開閉部（カバー１０５ａ〜１０５ｄ）が開かれたこと、及び、紙葉類処理装置１００における処理が停止したこと、のうち少なくとも何れか一つのイベントが発生したことを示すイベント情報を取得する。この構成により、紙葉類処理装置１００において撮像画像の確認が必要となるケースの画像を取得することができる。
【００５０】
また、以上説明した少なくともひとつの実施形態によれば、イベントの種類に応じて、イベントの発生後の映像だけを関連範囲とするのか、イベントの発生前後の映像を関連範囲とするのかを決めることができる。また、関連範囲の期間の長さも、イベント毎に設定可能である。この構成により、紙葉類処理装置１００において撮像画像の確認が必要となるケースの画像として、必要な期間の映像を取得することができる。なお、１枚の画像だけでは十分に情報を把握できない場面でも、ある期間の映像で確認することにより、操作者の操作の流れや、紙葉類処理装置１００における処理の流れを確認することができる。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１…紙葉類処理システム、１００…紙葉類処理装置、１０１…紙葉類処理装置本体、１０２…操作部、１０３…表示部、１０４…紙葉類排出部、１０５…カバーセンサー、１０５ａ〜１０５ｄ…カバー、１０６ａ〜１０６ｄ…取っ手、１０７…投入口、１０８…リジェクト券排出口、１１０…中央制御部、１１１…第１ユニット、１１２…第２ユニット、１１３…鑑査部、１１５…施封部、１１７…裁断部、１１９…バッチカード排出部、３００…ＣＰＵ、３０１…画像取得部、３０２…紙葉類処理制御部、３０３…イベント情報取得部、３０４…抽出部、３０５…画像検索部、４００…記憶部、４０１…画像データ、４０２…イベントログ情報、４０３…関連情報テーブル、４０４…抽出情報
【図１】
2015222488.tif 000003
【図２】
2015222488.tif 000004
【図３】
2015222488.tif 000005
【図４】
2015222488.tif 000006
【図５】
2015222488.tif 000007
【図６】
2015222488.tif 000008
【図７】
2015222488.tif 000009
【図８】
2015222488.tif 000010